(57)【特許請求の範囲】
【請求項１】
ターボポンプと一体に形成されたターボポンプ用モータであって、
前記ターボポンプ用モータは、少なくともステータが密閉容器内に納められ、前記ステータのコイルに外部より電力を供給するために前記密閉容器の一部に設けられた端子部を有し、
前記端子部は、
密閉容器に設けられ、密閉容器の内外を連通する連通路を有する端子台と、
前記端子台の連通路をふさぐ封止部と、前記封止部を貫通する１本の金属線で形成された少なくとも一つの端子線と、を有する端子と、
前記端子を前記端子台に固定する端子押さえと、
を有し、
前記端子台は略円筒形状であって、その先端外周部分におねじが設けられ、先端内周部分には、先端から内側に向いた斜面で形成されたすり鉢部が設けられ、さらに前記すり鉢部の底に相当する部分に肩部が設けられ、
前記端子の封止部は、裾の広がった円筒部と、この円筒部の拡がった裾が設けられた端の反対側の端を塞ぐように配置される円盤部とを有し、
前記端子押さえは、略円筒形状であって、一端に前記端子台のおねじと結合するめねじが設けられた円筒部と、この円筒部内面につば状に突出した内向きつば部を有し、
前記内向きつば部の内周面は、前記端子の円筒部の外周面をガイドし、
前記内向きつば部がＯリングを介して端子円筒部の下端の裾の広がった部分を、前記端子台の肩部に当接させている、
ターボポンプ用モータ。
【発明の詳細な説明】
【０００１】
【発明の属する技術分野】
本発明は、ポンプとこれを駆動するモータが一体に形成されたターボモータ用ポンプに関し、特にモータの密閉容器に納められたステータに電力を供給するための端子の構造に関する。
【０００２】
【従来の技術】
駆動用モータと一体化された遠心ポンプや斜流ポンプ、軸流ポンプなどのターボポンプが知られている。このような駆動用モータとして、キャンドモータが知られている。キャンドモータは、ステータおよびロータがそれぞれ密閉容器に納められており、これらの周囲にはポンプの取り扱う流体が浸入している。ロータについては完全に密閉可能であり、ステータについては、そのコイルに電力を供給するために、コイルを密閉容器外部と電気的に接続するための端子部が設けられている。
【０００３】
ステータを密閉する上で、前記端子部がもっとも弱い部分であり、この部分を確実に密封することが重要である。密封が不完全であると、外部より侵入した湿気が内部で結露し、ステータの絶縁が低下する場合がある。確実に密封するためには端子部において、フランジ機構などの封止が必要となり大型化する。一方、設置場所やコストなどの制約により小型化が望まれている。また、密封構造ではないが、小型の端子部としては、密封容器の開口部に撚り線のリード線を通し、この周囲を樹脂で固め、開口部をふさぐものがある。
【０００４】
【発明が解決しようとする課題】
前述の小型の端子部の構造では、リード線に撚り線を使用するため、撚り線を構成する１本１本の導線の隙間が完全に密封されず、よってステータを納める容器が完全に密封されないという問題があった。また、より確実に密封するために、撚り線先端部より樹脂を流し込む方法や、リード線先端端子部をはんだ付けする方法が採られることがあるが、完全には密封することができなかった。
【０００５】
本発明は、前述の問題点を考慮してなされたものであり、小型・安価で、確実にステータを密封することができるキャンドモータの端子部の構造を提供する。
【０００６】
【課題を解決するための手段】
前述の課題を解決するために、本発明にかかる、ターボポンプと一体に形成されたターボポンプ用モータは、少なくともステータが密閉容器内に納められ、前記ステータのコイルに外部より電力を供給するために前記密閉容器の一部に設けられた端子部を有している。そして、前記端子部は、密閉容器に設けられ、密閉容器の内外を連通する連通路を有する端子台と、前記連通路内に配置された端子と、前記端子を前記端子台に固定する端子押さえと、を有し、前記端子はさらに前記端子台の連通路をふさぐ封止部と、前記封止部を貫通する１本の金属線で形成された少なくとも一つの端子線と、を有している。
【０００７】
さらに、前記端子台と前記端子と前記端子押さえに囲まれる空間にシール手段が配置され、前記シール手段により、前記端子部の密閉が行われるものとすることができる。
【０００８】
さらに、前記シール手段をＯリングとすることができる。
【０００９】
【発明の実施の形態】
以下、本発明の実施の形態（以下実施形態という）を、図面に従って説明する。図１には、本実施形態のキャンドモータポンプ１０の概略構成が示されている。キャンドモータポンプ１０は、ポンプ１２とキャンドモータ１４が一体化されたものであり、ポンプ１２が取り扱う流体が、キャンドモータ１４内部まで進入し、この流体が軸受１６，１８の潤滑やキャンドモータ１４の冷却を行っている。一方で、取り扱い流体がモータのステータやロータに進入しないように、これらは、完全に密閉されている。
【００１０】
ポンプ１２のインペラ２０に直結したシャフト２２には、ロータ２４が一体に設けられており、ロータ２４は、ロータ密閉容器２６内に完全に密閉されている。シャフト２２は、軸受１６，１８に回転可能に支持されており、これらの軸受は、前述のように取り扱い流体により潤滑されている。したがって、シャフト２２の周囲およびロータ２４の周囲には、取り扱い流体が進入しているが、ロータ密閉容器２６によってロータ２４内への進入は阻止されている。これによって、ロータ２４が取り扱い液などにより腐食されることから保護されている。
【００１１】
ロータ２４の周囲には、ステータ２８が配置されている。ステータ２８は、円筒の内側に櫛歯状の凹凸が形成されたコア３０と、コア３０の前記凹部に導線を挿入して形成されたコイル３２を有する。このコイル３２に外部より電力が供給されて、モータが機能する。コア３０とコイル３２は、ステータ密閉容器３４内に納められており、これによりポンプ１２の取り扱い流体の進入が阻止され、コイル３２などの絶縁が確保される。ステータ密閉容器３４には、ステータ２８のコイル３２に外部より電力を供給するための端子部３６が設けられている。
【００１２】
図２は、端子部３６を拡大した断面図である。ステータ密閉容器３４の外周部には略円筒形状の端子台３８が全周溶接にて固定されている。この端子台３８の円筒内部が、ステータ密閉容器３４の内部と外部を連通する連通路となる。端子台３８の先端の外周部分にはおねじ４０が設けられている。また、端子台３８の先端内周部分には、先端から内側に向いた斜面で形成されたすり鉢部４２と、このすり鉢部４２の底に相当する部分に肩部４４が設けられている。
【００１３】
端子台３８の先端部分には、これをふさぐように、すなわち連通路をふさぐように端子４６が配置されている。端子４６は、裾が広がった円筒部４８と連通路に略直交配置される円盤部５０を有し、これらが連通路を封止する封止部として機能する。円盤部５０には、３本の端子線５２が貫通しており、端子線５２と円盤部５０の境界部分はガラス材５４により封止されている。また、端子線５２は、一本の金属線により構成されており、撚り線のような線同士の隙間が存在しない。端子線５２の、ステータ密閉容器３４の内部に向かって突出した部分には、コイルから導かれたコイル導線５６に接続されている。一方ステータ密閉容器３４の外部に突出した部分は、外部導線５８に接続されている。これによって、ステータのコイル３２に外部より電力を供給することができる。
【００１４】
端子台３８の先端には、端子押さえ６０が固定される。端子押さえ６０は、略円筒形状の円筒部６２と、円筒部６２内面につば状に突出した内向きつば部６４を有している。円筒部６２の一端には、めねじ６６が設けられ、端子部３６のおねじ４０とねじ結合している。内向きつば部６４の内周面は、端子４６の円筒部４８の外周面をガイドしている。また、内向きつば部６４の図中下面は、Ｏリング６８を介して端子４６の円筒部６４の下端の裾の広がった部分を、端子台３８の肩部４４に当接させている。Ｏリング６８は、端子台３８のすり鉢部４２と、端子４６の円筒部４８の裾部分と、端子押さえ６０の内向きつば部６４とに囲まれた、断面略三角形の環状の空間に納められる。ここに０リングを使用することにより、フランジタイプのようなシール面を外側に出し、さらにねじにて締め付けシールする構造を採らなくてすむため、形状が小さくなくなる。また、これにより、内圧、外圧ともに対応可能な密封構造となっている。Ｏリング６８の材質としては、耐熱性の高いフッ素ゴムなどを使用することができる。
【００１５】
なお、前述の実施形態においては三相モータの場合を記載したが単相モータを用いることも可能である。この場合端子線の数は２本となる。また、端子を複数用いて必要な端子線の数を確保することもできる。
【００１６】
本実施形態によれば、簡易な構造で、小型の端子により、確実にステータ密閉容器３４の密封が可能となる。また、簡単な作業で確実に密封を行うことができる。また、従来のように樹脂を用いていないため、樹脂が硬化するまでのリードタイムが不要となる。
【図面の簡単な説明】
【図１】  本実施形態のキャンドモータポンプの全体構成を示す図である。
【図２】  本実施形態のキャンドモータの端子部の詳細を示す図である。
【符号の説明】
１０  キャンドモータポンプ、１２  ポンプ、１４  キャンドモータ、２４  ロータ、２８  ステータ、３４  ステータ密閉容器、３６  端子部、４０  おねじ、４６  端子、４８  円筒部（封止部）、５０  円盤部（封止部）、６０  端子押さえ。
【図１】
0004179697.tif 000002
【図２】
0004179697.tif 000003